(57)【要約】【課題】  車載レーダにおいて、路面・自車・レーダ自身に起因するノイズを低減し、小型軽量かつ低コストでロードクラッタを防止し、検知性能を向上させたレーダ装置を提供する。【解決手段】  直線偏波を放射する１又は複数の放射素子を有したアンテナと、このアンテナ面の前方に配置された金属板に複数のスリットを設けたスリット板と、アンテナとスリット板の間に発泡材を設けたことを特徴とする。【効果】  アンテナの給電線路からの交差偏波が主成分となるサイドローブを低減でき、ロードクラッタを防止できる。また、固有振動数が車両の振動数以下となるスリットの共振を低減し、ノイズを抑制することができる。それによって、レーダ装置として優れた検知性能が得られる。【選択図】図１
2006029834.tif 000002
【特許請求の範囲】
【請求項１】
移動体に搭載され、対象物の方位，移動体との相対距離，相対速度の少なくとも１つを検出する車載用電波レーダ装置であって、直線偏波を放射する一つ又は複数の放射素子を有したアンテナと、前記アンテナ面の前方に配置される複数のスリットを設けたスリット板と、前記アンテナと前記スリット板の間に発泡材を設けたことを特徴とする車載用電波レーダ装置。
【請求項２】
請求項１において、
前記スリット板を発泡材と接着固定し、前記スリット板のアンテナ面に対向する位置に配置したレドームにより前記アンテナのアンテナ面に加圧固定することを特徴とする車載用電波レーダ装置。
【請求項３】
請求項１において、
前記スリット板を発泡材にインサートして形成することを特徴とする車載用電波レーダ装置。
【請求項４】
請求項１において、
前記発泡材の厚みは、使用するレーダ装置の電波の１／８実効波長から１／２実効波長の間の厚みに設定することを特徴とする車載用電波レーダ装置。
【請求項５】
請求項１において、
前記スリット板の少なくとも一部のスリットは、前記スリット板が形成される面の法線方向に使用する電波の１／８実効波長から１／２実効波長の間の長さ分押し出されていることを特徴とする車載用レーダ装置。
【請求項６】
請求項１において、
前記スリット板が形成される面と平行な位置に少なくとも一部のスリットにより形成された他の面を有することを特徴とする車載用電波レーダ装置。
【請求項７】
移動体に搭載され、対象物の方位，移動体との相対距離，相対速度の少なくとも１つを検出する車載用電波レーダ装置であって、直線偏波を放射する一つ又は複数の放射素子からなるアンテナパッチを有したアンテナと、前記アンテナ面の前方に配置される複数のスリットを設けたスリット板と、前記アンテナと前記スリット板の間に前記アンテナパッチ面の法線方向に位置する前記アンテナパッチの投影面を除く領域に誘電体，金属、または、電波吸収体のスペーサを配置したことを特徴とする車載用電波レーダ装置。
【請求項８】
請求項７において、
前記スペーサの厚みは、使用する電波の１／８実効波長から１／２実効波長の間に設定することを特徴とする車載用電波レーダ装置。
【請求項９】
請求項７において、
前記スリット板は、前記スリット板のアンテナ面に対向する位置に配置したレドームによって前記アンテナのアンテナ面に加圧固定されていることを特徴とする車載用電波レーダ装置。
【請求項１０】
請求項１乃至９のいずれか１項において前記スリット板は、前記スリットの長手方向を法線とする断面が前記スリットの厚み方向に湾曲，折り曲げまたは突出した形状に形成されていることを特徴とする車載用電波レーダ装置。
【請求項１１】
請求項１乃至１０のいずれか１項において、前記スリット板は、フレキシブル基板で構成されていることを特徴とする車載用電波レーダ装置。
【請求項１２】
車両に搭載され、対象物の方位，移動体との相対距離，相対速度の少なくとも１つを検出し、車両を制御する車両制御システムであって、
直線偏波を放射する一つ又は複数の放射素子を有したアンテナと前記アンテナ面の前方に配置される複数のスリットを設けたスリット板と前記アンテナと前記スリット板の間に発泡材を設けてなるレーダ装置と、
前記アンテナからレーダ波を送信するための信号を出力する発信器と前記送信されたレーダ波が前記対象物から反射され、前記アンテナで反射されたレーダ波を受信し、前記対象物の方位，速度又は距離の少なくとも１つを検出する信号処理部と前記検出された検出結果を表示又は前記車両の制御に用いて車両制御を行うことを特徴とする車両制御システム。
【請求項１３】
請求項１２において、
前記車両制御は、追従制御又は衝突回避制御であることを特徴とする車両制御システム。
【請求項１４】
請求項１２において、
前記車両制御は、エンジン制御，制動制御又はステアリング制御であることを特徴とする車両制御システム。
【発明の詳細な説明】
【技術分野】
【０００１】
本発明は、車両等の移動体に搭載され、障害物の方位，移動体との相対距離，相対速度等を検出する車載用レーダに関する。
【背景技術】
【０００２】
ミリ波を用いた車載用レーダは超音波レーダやレーザレーダと比較して、雨，霧，雪などの気象条件や、埃，騒音の影響を受けにくいため、自動車の衝突防止や追従走行などに最適なレーダとして注目されている。
【０００３】
上述の用途では、図７に示すように、ミリ波車載用レーダ２０は移動体２１の前面に設置され、アンテナからメインローブｍｂによって送信信号をターゲット車両２２に向かって放射し、ターゲット車両２２で反射した信号の送信信号との周波数差，位相差，時間差などを観測することにより、ターゲット車両２２までの距離とターゲット車両の速度等を求めることができる。
【０００４】
このようなミリ波レーダは、移動体２１が停止している時はノイズが小さく、良好な検知性能を持つ。
【０００５】
しかし、移動体２１の走行時、例えば、矢印で示した移動体の進行方向２４に移動速度Ｖr で走行しているとすると、路面２３に角度θで入射されるサイドローブｓｂからの反射波は次式の相対速度Ｖs を持つためクラッタノイズとして受信される。
【０００６】
（数１）
Ｖs＝Ｖrcosθ
したがって、メインローブｍｂによるターゲット車両２２からの信号がノイズに埋もれ、検知距離劣化や誤検知等の問題を引き起こしていた。
【０００７】
上記のような路面からの反射波によるクラッタ（以下、ロードクラッタ）の防止対策として、特開２００１−２０１５５７号公報では、アンテナ前方下部に金属板を配置することでサイドローブを遮断し、クラッタノイズを低減することが論じられている。
【０００８】
また、従来、ミリ波レーダ用アンテナとしては、PeterPeregrinus社出版、J R James著の“Handbook of MICROSTRIP ANTENNAS”の第９８０頁に記載がある。
【０００９】
図８にパッチアンテナの概要を示す。パッチアンテナは底面に接地導体２５を持つ誘電体基板４上に構成され、ＴＥＭモードが給電点２８から同軸線路等により給電され、マイクロストリップ給電線路２６を伝搬し、放射器であるパッチ素子２７に電力分配する構造である。
【００１０】
パッチ素子２７上の矢印は主偏波の向きでアンテナの主偏波方向４０であり、この向きの偏波が空間を伝搬する。このようにパッチアンテナは誘電体基板のケミカルエッチングで加工できることから低コスト，薄型であり、ミリ波レーダとして有望である。
【００１１】
また、アンテナから放射される偏波の主偏波方向と直交する交差偏波を低減させる手法として、アイ・イー・イー・イー、トランザクション  エー  ピー３５、ナンバー４
（１９８７年）(ＩＥＥＥ  ＴＲＡＮＳ，vol．ＡＰ−３５，Ｎo.４，April  １９８７．)にスリット板を用いた交差偏波低減について論じられている。
【００１２】
アンテナ応用としての具体的な手法として、特開平９−５１２２５号公報によれば、給電線路がトリプレート構造のパッチアンテナについて、パッチ素子の上部にスリット付の放射窓を設けたスリット板をアンテナ前面に設置し、地導体でアンテナとスリット板を覆うことが論じられている。
【００１３】
また、特開２００１−３２６５３０号公報では、平面アンテナの前面にストリップ線路で構成されたスリット板を配置し、平面アンテナと、スリット板とを、その平面アンテナの端部に設けた金属壁を介して接続することが論じられている。
【００１４】
【特許文献１】特開２００１−２０１５５７号公報
【特許文献２】特開平９−５１２２５号公報
【特許文献３】特開２００１−３２６５３０号公報
【非特許文献１】PeterPeregrinus社出版、J R James著の“Handbook of MICROSTRIPANTENNAS”の第９８０頁記載の図８
【非特許文献２】アイ・イー・イー・イー、トランザクション  エー  ピー３５、ナンバー４（１９８７年）（ＩＥＥＥ  ＴＲＡＮＳ，vol．ＡＰ−３５，Ｎo.４，April１９８７．）
【発明の開示】
【発明が解決しようとする課題】
【００１５】
上記ロードクラッタによるミリ波車載レーダ受信信号のノイズ上昇について図９を用いて説明する。横軸はレーダ搭載車に対するターゲットの相対速度を自車の絶対速度で規格化したもので、縦軸は受信信号強度である。
【００１６】
レーダ搭載車が停止している場合のノイズレベルはＮｓで示され、レーダの電子回路部で発生するノイズ３１によって決まっている。ターゲットからの受信信号２９のレベルはＳｔであるので、レーダ搭載車が停止している場合のＳＮ比は（Ｓｔ−Ｎｓ）で表される。
【００１７】
一方、レーダ搭載車が走行している場合は、ロードクラッタによるノイズ３０が急激に上昇する。これは、レーダ搭載車走行中はサイドローブによる地面からの反射波が相対速度を持つため、クラッタノイズとして受信してしまうからである。
【００１８】
これにより、レーダ搭載車が走行している場合のＳＮ比は（Ｓｔ−Ｎｒ）で表され、停止時に比べてＳＮ比は大きく劣化し、検知距離劣化や誤検知等の問題を引き起こす。特に路面に垂直に入射するサイドローブによる小相対速度のノイズレベルは、路面との距離が近い為、他相対速度に比べ大幅に劣化する。
【００１９】
従って、小相対速度での感度が重要となるＡＣＣ（自動追従）レーダ応用では、路面に垂直に入射するサイドローブを低減する必要がある。上記したアンテナ前方下部に金属板を配置しロードクラッタを防止する手法は、金属板に反射した信号による誤検知の可能性があり、また、サイドローブの遮蔽範囲を広くするためには金属板を大きくする必要があり、レーダサイズの大型化は免れなかった。
【００２０】
一方、サイドローブの主要因は、パッチアンテナの給電線路からの不要放射である。ミリ波帯では給電線路や給電点からの不要放射が大きくアンテナの放射特性を劣化させていた。特にアンテナ面に対して水平な方向に放射されるサイドローブの主成分は交差偏波であることから、交差偏波の低減がロードクラッタ防止につながる。ただし、路面に垂直入射するサイドローブに関しては、アンテナと路面との距離が最短であることや、路面の反射係数が最大になることから、交差偏波のみならず微弱な主偏波さえも低減する必要がある。
【００２１】
また、車載用レーダは車両によって搭載位置が様々であり、車体からの乱反射によるマルチパスの影響を最小限にするには路面入射以外の不要サイドローブもできるだけ低減する必要がある。
【００２２】
本発明は上記のような問題点を解消するためになされたもので、ロードクラッタを防止し、優れた検知性能を有するレーダ装置を提供することを目的とする。さらに、車載用レーダ装置として、小型軽量かつ低コストで搭載位置を選ばないレーダ装置を提供することを目的とする。
【課題を解決するための手段】
【００２３】
上記目的を達成するために、本発明は、レーダ装置であって、直線偏波を放射する１又は複数の放射素子を有したアンテナと、このアンテナ面の前方に配置された金属板に複数のスリットを設けたスリット板と、アンテナとスリット板の間に発泡材を設けたことを特徴とする。
【発明の効果】
【００２４】
このように構成することにより（パッチ）アンテナの給電線路からの交差偏波が主成分であるサイドローブを低減でき、ロードクラッタを防止できる。また、固有振動数が車両の振動数以下となるスリットの共振を低減し、ノイズを抑制することができる。それによって、レーダ装置として優れた検知性能が得られる。
【発明を実施するための最良の形態】
【００２５】
以下に本発明の特徴を示す。
【００２６】
本発明は、車両等の移動体に搭載され、直線偏波を放射する１又は複数の放射素子を有したアンテナと、このアンテナ面の前方に配置した金属板に複数のスリットを設けたスリット板と、アンテナとスリット板の間に発泡材を設けた障害物の方位，移動体との相対距離，相対速度等を検出するレーダ装置であり、特に、車載用レーダである。
【００２７】
このように構成することで、パッチアンテナの給電線路からの交差偏波が主成分であるサイドローブを低減しロードクラッタを防止できると共に、固有振動数が車両の振動数以下となるスリットの共振を低減しノイズを抑制することで優れた検知性能が得られる。
【００２８】
本発明は、また、スリット板を発泡材と両面テープによって固定し、スリット板のアンテナ面と対向する位置に配置したレドームでアンテナ面に加圧固定することにより、スリットの共振を低減しノイズを抑制することができ、優れた検知性能が得られる。
【００２９】
さらに、本発明は、スリット板を発泡材にアウトサートしてこれをアンテナ面と対向する位置に配置したレドームでアンテナ面に加圧固定することで、スリットの共振を低減しノイズを抑制することができ、優れた検知性能が得られる。
【００３０】
さらに、本発明は、発泡材の厚みを１／８実効波長から１／２実効波長とすることによりスリットとアンテナの距離を制御することができノイズを抑制することができ、優れた検知性能が得られる。
【００３１】
次に、本発明によれば、スリットの一部をアンテナ方向に１／８実効波長から１／２実効波長押し出すことでスリットとアンテナの距離を制御することができノイズを抑制することができ、優れた検知性能が得られる。
【００３２】
また、本発明によれば、アンテナとスリット板の間にアンテナパッチ面の法線方向のパッチ投影面以外に誘電体，金属、または電波吸収体のスペーサを配置することにより、スリットの共振を低減しノイズを抑制することで優れた検知性能が得られる。
【００３３】
さらに、本発明によれば、スペーサの厚みを１／８実効波長から１／２実効波長とすることでスリットとアンテナの距離を制御することができノイズを抑制することで優れた検知性能が得られる。
【００３４】
また、本発明は、スリット板のアンテナ面と対向する位置に配置したレドームでスリット板をアンテナ面に加圧固定することでスリットの共振を低減しノイズを抑制するので優れた検知性能が得られる。
【００３５】
本発明は、スリットの長手方向を法線とする断面を厚み方向に湾曲，折り曲げまたは突出した形状とすることにより固有振動数は高くなり共振によるノイズを抑制するので優れた検知性能が得られる。
【００３６】
また、本発明は、スリット板はフレキシブル基板で構成していても前述と同様の効果をえることができる。
【００３７】
本発明の更なる詳細は、図面を用いて、以下に説明する。なお、本発明は、これらの実施例に限定されるものではなく、上述の特徴を有するものに適用される。
【実施例１】
【００３８】
図１は本発明による車載用レーダの第１の実施形態を表す構成図である。矢印４１ａは車載用レーダを車両に取り付けた際の路面方向を表している。
【００３９】
本実施形態では、送信パッチアンテナ１から送信信号を送信し、ターゲットで反射された信号を受信パッチアンテナ２ａ及び受信パッチアンテナ２ｂで受信して、これらの受信信号からターゲットの速度，距離，方位を検出する。誘電体基板４上に構成された送信パッチアンテナ１，受信パッチアンテナ２ａ，２ｂは金属から成るアンテナプレート３に配置され、アンテナプレート３はレーダ筐体５に取り付けられると共に、誘電体から成るレドーム６に覆われている。アンテナ前面に発泡シート７を挟んで設けられたスリット板８は波長に対して十分薄い金属から成り、幅Ｌのスリットが周期Ｐで構成されている。スリットの長さについては波長に対して十分な長さをとって、スリットでの電波共振によるアンテナ放射パターンの劣化を防止する必要がある。アンテナの主偏波方向は矢印４０ｂで表され、スリットの長手方向が主偏波方向と直交するように構成することでスリット板８は主偏波のみを通過させ、交差偏波を反射させる特性を持つ。次式にスリット９の長手方向と平行な偏波のスリット板８の反射係数を示す。
【００４０】
【数２】
2006029834.tif 000003
【００４１】
スリット９の長手方向と垂直な偏波のスリット板８の反射係数は次式で表される。
【００４２】
【数３】
2006029834.tif 000004
【００４３】
なお、λは使用周波数における自由空間波長を表す。
【００４４】
上記の２つの式により、交差偏波のみ反射させる本目的においてはＰ／λ＝０.１〜0.3，Ｌ／Ｐ＝０.４〜０.７程度が妥当である。
【００４５】
パッチアンテナの主偏波方向を路面と水平にすることで、パッチ素子単体の指向性最小になる角度が路面方向となることから、路面からの反射波を低減できる。
【００４６】
図２は本実施例における車載用レーダの図１に対応する断面図とブロック図を示す。スリット板８とアンテナ面との距離Ｄｐは、１／８実効波長より小さくすると、アンテナ主偏波の放射パターンやインピーダンス特性を劣化させる。また、１／２実効波長以上にするとアンテナ面とスリット板８の間に伝搬モードがたち、スリット板８の交差偏波低減特性が劣化する。従って、距離Ｄｐは１／８実効波長から１／２実効波長とすることが望ましい。
【００４７】
スリット板８は固有振動数が車両の振動数以下となるため、発泡シート７を配置して共振を低減している。
【００４８】
また、Ｄｐを最適値に制御するために発泡シート７の厚みを１／８実効波長から１／２実効波長とし、かつスリット９の一部をアンテナ方向に１／８実効波長から１／２実効波長押し出している。
【００４９】
本実施例ではターゲットの方位検出にモノパルス方式を用いており、送受信装置から、送信パッチアンテナ１を介して送信信号を送信し、障害物で反射された信号を受信パッチアンテナ２ａ及び受信パッチアンテナ２ｂで受信して、ハイブリッド回路１０にてモノパルス信号である和信号，差信号が生成される。
【００５０】
以下に送受信装置について説明する。
【００５１】
発振器１１のミリ波信号は電力増幅器１２を経て送信パッチアンテナ１に加えられる。ハイブリッド回路１０で生成された和信号Σ及び差信号Δは、それぞれミキサ１３ａ及び１３ｂに加えられ発振器１１の出力信号と混合され、中間周波信号に変換され、信号処理回路によって構成される信号処理部２００に入力される。信号処理回路は、和信号Σ及び差信号Δの周波数変換された信号を用いて被検出体の方位を検出する方位検出部２２０と、和信号Σを用いて、被検出体の速度を検出する速度検出部２４０，位置などを検出する位置検出部２６０とを含む。これらの検出結果は検出信号として出力され、必要に応じて、表示装置２８０などの出力装置に適した信号に変換され、出力装置に出力される。
【００５２】
また、これらの検出信号は、車両制御に適用される。例えば、追従制御（Adaptive 
Cruise Control）やプリクラッシュ制御などの機能を有する制御装置やエンジン制御装置へ入力され、先行車に追従した走行制御や障害物を検出して警報を発すること、又は、走行進路を変更すること等で衝突回避を行う衝突回避制御，プリクラッシュ制御に用いられる。
【００５３】
更に、これらは、上述の制御とも関係するエンジン制御，制動制御，ステアリング制御へも適用される。エンジン制御は、エンジン制御装置によって、エンジンの吸入空気量，燃料噴射量，燃料噴射時期，点火時期，トルク制御，エンジン回転数などを制御するものである。制動制御はモータによる電動ブレーキ装置，モータなどの電動又は他の駆動力で駆動されるポンプによって油圧を発生させる油圧ブレーキ装置又は電動ブレーキと油圧ブレーキとを組み合わせたハイブリッド制動装置を制御するものである。ステアリング制御は、ステアリングをモータなどの電動で駆動するもの、油圧を発生するポンプを駆動するものを制御するものである。
【００５４】
図３は本実施例における効果を表す図である。前方にターゲット車両が無い状態では路面に角度θで入射されるサイドローブが原因のクラッタノイズが受信信号（縦軸）として相対速度（横軸）として観測される。スリット板８等を用いないレドーム６のみの状態がＡで示され、スリット板８を用いた状態がＢで示され、発泡シート７を用いた状態がＣで示されている。ピークＸはレーダ搭載車の正面方向に存在する路面以外からの静止物からの微小信号の総和である。
【００５５】
本効果より発泡シート７をはさむことによりスリットの共振Ｙを低減しノイズを抑制することで優れた検知性能が得られることが分かる。
【００５６】
また、スリット板８を発泡シート７と両面テープによって固定し、スリット板８のアンテナ面と対向する位置に配置したレドーム６でアンテナ面に加圧固定することにより、スリット９の共振を低減しノイズを抑制することで優れた検知性能が得られる。
【００５７】
また、発泡シート７の厚みを１／８実効波長から１／２実効波長とすることによりスリット９とアンテナの距離を制御することができノイズを抑制することで優れた検知性能が得られる。
【００５８】
また、スリット９の一部をアンテナ方向に１／８実効波長から１／２実効波長押し出すことでスリット９とアンテナの距離を制御することができノイズを抑制することで優れた検知性能が得られる。
【実施例２】
【００５９】
図４は本発明による車載用レーダの第２の実施形態を表す構成図である。第１の実施例のスリット板８と発泡シート７の代わりにスリット板８を発泡シート７にアウトサートしたものである。この場合もこれをアンテナ面と対向する位置に配置したレドーム６でアンテナ面に加圧固定することで、スリット９の共振を低減しノイズを抑制することで優れた検知性能が得られる。
【実施例３】
【００６０】
図５は実施例１の発泡シート７の代わりにアンテナとスリット板８の間にアンテナパッチ面の法線方向のパッチ投影面以外に誘電体，金属、または電波吸収体のスペーサ１４を配置したものである。
【００６１】
この場合、スリット９の共振を低減しノイズを抑制すると同時にアンテナパッチ部は全て空気となる構成であるのでアンテナの電力損失も少なく非常にすぐれている。
【００６２】
また、この厚みを１／８実効波長から１／２実効波長とすることによりスリット板８とアンテナの距離を制御することができノイズを抑制することで優れた検知性能が得られる。
【００６３】
また、スリット板８のアンテナ面と対向する位置に配置したレドーム６でスリット板８をアンテナ面に加圧固定することでスリット９の共振を低減しノイズを抑制するので優れた検知性能が得られる。
【実施例４】
【００６４】
図６は実施例１から３におけるスリット板８のスリット長手方向を法線とする断面を厚み方向に湾曲，折り曲げまたは突出した形状としたものである。
【００６５】
これにより固有振動数を高くすることができ共振によるノイズを抑制するので優れた検知性能が得られる。
【００６６】
また、スリット板８はフレキシブル基板で構成していても前述と同様の効果をえることができる。
【００６７】
上述の実施例による効果を更にアプリケーションを用いて具体的に説明する。
【００６８】
対象物の方位，移動体との相対距離，相対速度の少なくとも一つを検出し、車両を制御する車両制御システムは、車両に搭載され、対象物を検出するレーダセンサの直線偏波を放射する一つ又は複数の放射素子を有したアンテナが本実施例の構造を適用することにより、図３の効果得ることができる。
【実施例５】
【００６９】
前述の、特に、自車の先行車に対して追従制御するシステムにおいては、先行車が自車の設定速度以下の速度で走行する場合、自車の目標速度は先行車と同じ速度、つまり相対速度が０である。図３の対策前（Ａ）と後（Ｃ）を比較すると特に相対速度が０付近のノイズの改善量が大きいので、本発明は、特に先行車に対する追従制御に対して効果が大きいといえる。
【実施例６】
【００７０】
前述で、特に衝突防止のために、自車に近づいてくる車両を検知するシステムにおいては、自車に対して近づいてくる方向の相対速度をもった車両を安定して検知する必要がある。図３の対策前（Ａ）では、相対速度が小さい領域（規格化相対速度が０に近い領域）では、ノイズが高く、相対速度が大きい領域（規格化相対速度が１に近い領域）では、ノイズが小さくなっているが、対策後（Ｃ）では、ノイズレベルが規格化相対速度によらないので、検知対象車両の安定検知という点で大きい効果を得る事ができる。
【産業上の利用可能性】
【００７１】
本発明は、レーダ装置の検知の制度，信頼度を高めることができるので、これらの検知結果を用いた制御の信頼性の向上，安定，確実な制御に貢献できる。
【図面の簡単な説明】
【００７２】
【図１】本発明の第１の実施例。
【図２】本発明の第１の実施例の断面図とブロック図。
【図３】本発明の第１の実施例の効果を示す図。
【図４】本発明の第２の実施例。
【図５】本発明の第３の実施例。
【図６】本発明の第４の実施例。
【図７】従来の車載用レーダの説明図。
【図８】従来のパッチアンテナの説明図。
【図９】本発明の課題を表す説明図。
【符号の説明】
【００７３】
１…送信パッチアンテナ、２ａ，２ｂ…受信パッチアンテナ、３…アンテナプレート、４…誘電体基板、５…レーダ筐体、６…レドーム、７…発泡シート、８…スリット板、９…スリット、１０…ハイブリッド回路、１１…発振器、１２…電力増幅器、１３ａ，13ｂ…ミキサ、１４…スペーサ、２０…ミリ波車載用レーダ、２１…移動体、２２…ターゲット車両、２３…路面、２４…移動体の進行方向、２５…接地導体、２６…マイクロストリップ給電線路、２７…パッチ素子、２８…給電点、２９…ターゲットからの受信信号、
３０…ロードクラッタによるノイズ、３１…レーダの電子回路部で発生するノイズ、４０…アンテナの主偏波方向、４１…車載レーダの路面方向。
【図１】
2006029834.tif 000005
【図２】
2006029834.tif 000006
【図３】
2006029834.tif 000007
【図４】
2006029834.tif 000008
【図５】
2006029834.tif 000009
【図６】
2006029834.tif 000010
【図７】
2006029834.tif 000011
【図８】
2006029834.tif 000012
【図９】
2006029834.tif 000013